(57)【要約】【課題】多数の封緘具を箱詰めして保管や移送する際等における封緘具同士のもつれの発生を回避できて、商品への値札やラベル等の取付作業の作業能率を向上できる折り返し型封緘具を提供する。【解決手段】係合雌部２０を先端に有する第１フィラメント部４１と、前記係合雌部２０と係合する係合雄部３０を先端に有する第２フィラメント部４２を結合部５０で接続した折り返し型封緘具１を、前記第１及び第２フィラメント部４１，４２を延伸した時に、前記第１及び第２フィラメント部４１，４２が互いに接近するように形成する。【選択図】　図１
2004051145.tif 000002
【特許請求の範囲】
【請求項１】
係合雌部を一端側に有する第１フィラメント部の他端側と、前記係合雌部と係合する係合雄部を一端側に有する第２フィラメント部（４２）の他端側を結合部で接続した折り返し型封緘具であって、前記第１及び第２フィラメント部を延伸した時に、前記第１及び第２フィラメント部が互いに接近するように形成した折り返し型封緘具。
【請求項２　】前記結合部が、第１支持部と第２支持部を有するＵ字形状に形成されると共に、前記第１フィラメント部の根本部が前記第１支持部に対して、前記第２フィラメント部側に偏心して接合され、かつ、前記第２フィラメント部の根本部が前記第２支持部に対して、前記第１フィラメント部側に偏心して接合された請求項１記載の折り返し型封緘具。
【請求項３】
前記係合雌部が、貫通孔と該貫通孔内の中間部で円周方向に形成した環状突起部とからなるソケット部で形成され、前記係合雄部が、前記環状突起部を通過可能な頭部と、該頭部の後部側に設けられ、前記環状突起部を通過した後に拡がる弾性的に拡縮可能な係止片と、該係止片の後方に設けられ前記環状突起部の内径より大径のストッパー部とを有する挿通頭部で形成された請求項１又は２に記載の折り返し型封緘具。
【請求項４】
請求項１〜３のいずれか１項に記載の折り返し型封緘具の集合体であって、複数の折り返し型封緘具を平面的に並べると共に、前記係合雌部と前記係合雄部の少なくとも一方を第１バーに切断可能に連結すると共に、前記結合部を第２バーに切断可能に連結して形成された折り返し型封緘具の集合体。
【発明の詳細な説明】
【０００１】
【発明の属する技術分野】
本発明は、一体成形される合成樹脂製の封緘具に関し、より詳細には先端側に係合雄部と係合雌部をそれぞれ有する２本のフィラメント部を結合部に連結した折り返し型封緘具の改良に関するものである。
【０００２】
【従来の技術】
合成樹脂で一体成形された封緘具が、値札やラベル等の商品への取付け、スリッパやサンダル等の組物の商品の連結、袋物の口の密閉、及び計器類の蓋のシール等多方面に用いられている。
【０００３】
これらの封緘具は、延伸されたフィラメント部と係合雄部とこの係合雄部に係合する係合雌部を有して形成され、この係合雄部を値札やラベルの孔と商品の孔を通過させた後に係合雌部に係合することにより、フィラメント部でループを作り、値札やラベルを商品に取り付けている。
【０００４】
この封緘具の中に、値札やラベルの手作業による取付作業時において、係合雄部と係合雌部を対向させた位置で仮連結して、係合雄部と係合雌部を持ち直す手間を省き、作業効率を向上させることや成形用の金型の長さを短くすること等を目的とした折り返し型封緘具がある。
【０００５】
図８に示すように、この折り返し型封緘具１Ｘは、第１フィラメント部４１の一端側に挿通孔２２を有するソケット部（係合雌部）２０を設けると共に、第２フィラメント部４２の一端側に挿通頭部（係合雄部）３０を設けて、第１フィラメント部４１と第２フィラメント部４２の他端側を結合部５０に接続して形成されている。
【０００６】
【発明が解決しようとする課題】
しかしながら、従来技術の折り返し型封緘具１Ｘにおいては、この第１フィラメント部４１と第２フィラメント部４２は、Ｕ字形の結合部５０に接合している。そして、第１及び第２フィラメント部４１，４２の根本部４１ａ，４２ａがＵ字形の結合部５０の第１及び第２支持部５１，５２の略中心に配置されているために、第１及び第２フィラメント部４１，４２を延伸して正規の長さに形成した後に、第１及び第２フィラメント部４１，４２を外側に開く方向の力やモーメントが作用するという問題がある。
【０００７】
この外側に開く力やモーメントが作用すると、挿通頭部３０とソケット部２０は仮連結部６６，６７で連結されているので、図８に示すように第１及び第２フィラメント部４１，４２の中間部が開いたＯ字形状になる。
【０００８】
このＯ字形状の状態になると、この折り返し型封緘具を箱に収納して保管及び移送する場合等に、第１フィラメント部４１と第２フィラメント部４２の間に、他の封緘具の係合雄部３０と係合雌部２０が入り込んでもつれ合い、更にこのもつれた封緘具の間に更に別の封緘具が入り込んで、一層複雑に、封緘具同士が絡み合ってしまう。
【０００９】
そのため、この解除に多くの時間と手間を要するようになり、また、もつれの解除作業中に仮連結部６６，６７が切断して、係合雄部３０と係合雌部２０とが分離したりするので、作業効率が著しく低下する。
【００１０】
これを解決するために、第１及び第２フィラメント部４１，４２の根本と結合部の位置関係について多くの実験を重ね、第１及び第２フィラメント部４１，４２の根本が結合部５０の第１及び第２支持部に対して内側に偏心して接続している場合には、第１及び第２フィラメント部４１，４２の延伸後に作用する力やモーメントが開く方向から閉じる方向になることが分かった。
【００１１】
本発明は上記の知見を得て、前記したような問題点を解決するためになされたものであって、その目的は、折り返し型封緘具において、２本のフィラメント部の中間部が開いたＯ字形状にならず、２本のフィラメント部の中間部が閉じたＸ字形状やＵ字形状となるようにすることにより、多数の封緘具を箱詰めして保管や移送する際等における封緘具同士のもつれの発生を回避できて、商品への値札やラベル等の取付作業の作業能率を向上できる折り返し型封緘具を提供することにある。
【００１２】
【課題を解決するための手段】
本発明の折り返し型封緘具は、係合雌部を一端側に有する第１フィラメント部の他端側と、前記係合雌部と係合する係合雄部を一端側に有する第２フィラメント部の他端側を結合部で接続した折り返し型封緘具であって、前記第１及び第２フィラメント部を延伸した時に、前記第１及び第２フィラメント部が互いに接近するように形成される。
【００１３】
この折り返し型封緘具は合成樹脂で一体成形され、フィラメント部は延伸して形成されるが、この延伸によって、第１及び第２フィラメント部が互いに接近する状態になるように、即ち、外側に開かず、係合雄部と係合雌部等が仮連結された状態で、全体形状がＸ字形状やＵ字形状となるように形成される。
【００１４】
そして、この折り返し型封緘具は、前記結合部が、第１支持部と第２支持部を有するＵ字形状に形成されると共に、前記第１フィラメント部の根本部が前記第１支持部に対して、前記第２フィラメント部側に偏心して接合され、かつ、前記第２フィラメント部の根本部が前記第２支持部に対して、前記第１フィラメント部側に偏心して接合されて形成されることにより、つまり、第１及び第２フィラメント部の延伸のスタート部である結合部の第１支持部と第２支持部の内側の肉厚を薄く，外側の肉厚を厚く形成することにより、延伸した時に第１及び第２フィラメント部が互いに接近する力やモーメントが作用し、第１及び第２フィラメント部が互いに接近するようになる。
【００１５】
また、この係合雌部と係合雄部としては、係合して一体化するのであれば、何でもよいが、次のような構成が好ましい。
【００１６】
前記係合雌部が、貫通孔と該貫通孔内の中間部で円周方向に形成した環状突起部とからなるソケット部で形成され、前記係合雄部が、前記環状突起部を通過可能な頭部と、該頭部の後部側に設けられ、前記環状突起部を通過した後に拡がる弾性的に拡縮可能な係止片と、該係止片の後方に設けられ前記環状突起部の内径より大径のストッパー部とを有する挿通頭部で形成される。
【００１７】
また、本発明の折り返し型封緘具の集合体は、上記の折り返し型封緘具の集合体であって、複数の折り返し型封緘具を平面的に並べると共に、前記係合雌部と前記係合雄部の少なくとも一方を第１バーに切断可能に連結すると共に、前記結合部を第２バーに切断可能に連結して形成される。
【００１８】
これらの構成において、第１及び第２フィラメント部の根本部が結合部の第１及び第２支持部に対して、第２及び第１フィラメント側に偏心して接合されているので、第１及び第２フィラメント部を延伸して形成した時に、第１及び第２フィラメント部を内側へ曲げる方向の力やモーメントが作用するようになり、Ｘ字形状やＵ字形状を保つようになる。そのため、第１及び第２フィラメント部がＯ字形状に開くことが回避される。
【００１９】
【発明の実施の形態】
以下図面に基づき本発明に係る折り返し型封緘具の実施の形態について説明する。
図１及び図２に示すように、この折り返し型封緘具１は、係合雌部であるソケット部２０を一端側に有する第１フィラメント部４１と、係合雄部である挿通頭部３０を一端側に有する第２フィラメント部４２と、第１フィラメント部４１及び第２フィラメント部４２の他端側の根本部４１ａ，４２ａを結合するＵ字形状の結合部５０とから形成され、ナイロン、ポリプロピレン、ポリエチレン、ポリエステル等の延伸可能な分子配向性合成樹脂等で一体的に形成される。
【００２０】
このソケット部２０は内部に環状壁２１で囲まれた挿通孔２２が設けられた略筒状の形状で形成され、挿通孔２２内の中間部に当たる箇所に円周方向に形成した環状突起部２３が設けられている。
【００２１】
そして、このソケット部２０は、切断部２４を有する第１連結部２５、第１球状部２６を順に介して第１フィラメント部４１に接続している。この切断部２４は、挿通頭部３０をソケット部２０に挿通してループを形成した後に、ループを解除する必要が生じた時に、鋏などの切断用器具を使用せずに、捩じりや折り曲げ等の手操作により、簡単に破断してループを解除できるようにするためのものである。
【００２２】
この第１球状部２６は、第１フィラメント部４１を延伸する際の始点とするためのものであり、第１フィラメント部４１が延伸時に引張られる時にこの第１球状部２６の第１フィラメント部４１側から延伸されることになる。
【００２３】
また、挿通頭部３０はソケット部２０の挿通孔２２の中に挿通して係止させるもので、その先端には頭部３１が形成され、この頭部３１の後端面には２個の係止片３２が設けられ、更に、この頭部３１は、偏平部３３、胴部３４、ストッパー部３５、第２連結部３６、第２球状部３７を順に介して第２フィラメント部４２に接続している。
【００２４】
この頭部３１は挿通をより容易にするように弾頭状で、かつ、ソケット部２０の環状突起部２３の内径より若干小径に形成され、係止片３２は、環状突起部３３を通過した後に拡がるように弾性的に拡縮可能に形成される。
【００２５】
また、係止片３２を避けるために偏平に形成された偏平部３３と胴部３４は環状突起部３３の内径より小さく形成され、ストッパー部３５は環状突起部２３の内径より大きく、かつ、挿通孔２２の内径より小さく形成される。このストッパー部３５は、係止片３２と共同して環状突起部２３を挟持して係合時の挿通頭部３０のガタつきを防止するためのものであり、省略することも可能である。
【００２６】
この第２球状部３７は、第２フィラメント部４２を延伸する際の始点とするためのものであり、第２フィラメント部４２が延伸時に引張られる時にこの第２球状部３７の第２フィラメント部４２側から延伸されることになる。
【００２７】
また、この挿通頭部３０とソケット部２０の係合強度は、表示札等が簡単に外されて入れ替えられないように、あるいは、封緘が解かれたか否かが明確に分かるように、一度係合した後で無理やり引張って係合を外した時には、挿通頭部３０の係合片３２又はソケット部２０の環状突起部２３が破損して、再度の係合ができないように形成される。
【００２８】
そして、第１フィラメント部４１は根本部４１ａで結合部５０の第１支持部５１に接合し、第２フィラメント部４２は根本部４２ａで結合部５０の第２支持部５２に接合している。この結合部５０は、図３に示すように、第１支持部５１と第２支持部５２でＵ字を形成しているが、図４に示すような球体５３から第１支持部５１と第２支持部５２を突出させるような形状等であってもよい。
【００２９】
本発明においては、図３に示すように、この第１フィラメント部４１の根本部４１ａは第１支持部５１に対して、第２フィラメント部４２側に偏心して接合されると共に、第２フィラメント部４２の根本部４２ａが第２支持部５２に対して、第１フィラメント部４１側に偏心して接合される。
【００３０】
つまり，第１支持部５１の先端部分の断面において、第１フィラメント部４１の根本部４１ａの断面は、図３（ｂ）に示すように、内側に偏心して、即ち、第１支持部５１と第２支持部５２の内側の肉厚を薄く，外側の肉厚を厚く形成する。また，好ましくは、根本部４１ａの円が第１支持部５１の円に最内側の点で内接するように形成される。なお、第１及び第２フィラメント部４１，４２やそれらの根本部４１ａ，４２ａや第１及び第２支持部５１，５２の断面は、円形に限定されず、また、必ずしも相似形でなくてもよい。
【００３１】
第１及び第２フィラメント部４１，４２は、集合体で一体成形された後に、成型した金型内あるいは延伸機によって３倍から４倍に延伸されて、断面が縮小すると共に強度を高められ、折り返し型封緘具１は所定の長さになる。そして、表示札が衣類などの商品に一旦取り付けられた後は、持ち運び時や梱包及び移送時において容易に外れないように、また、手操作では簡単に破断できないような引張強さ（例えば５０Ｎ〜１００Ｎ（約５ｋｇｆ〜１０ｋｇｆ）程度以上）を持って形成される。
【００３２】
また、寸法に関しては、対象の表示札や封緘の対象物により異なり、その大きさは種々のものが考えられるので、限定する必要もないが、例えば、代表的なものでは、図１の折り返し型封緘具１は全長が１００〜２５０ｍｍ、挿通頭部３０の頭部３１の径が１．８ｍｍφ、ソケット部２０の貫通孔２２の内径が２．５ｍｍφで、ソケット部２０の長さが５．０ｍｍである。
【００３３】
この折り返し型封緘具１は、金型で一体成形されるが、この成形では、図５に示すように、多数の折り返し型封緘具１が平面的に並べられ、ソケット部２０と挿通頭部３０とがそれぞれ第１仮連結部６３及び第２仮連結部６４を介して第１バー（第１主連結部）６１に切断可能に連結すると共に、結合部５０が第３仮連結部６５を介して第２バー（第２主連結部）６２に切断可能に連結し、折り返し型封緘具の集合体６０を形成している。
【００３４】
また、第１球状部２６と第２球状部３７が第４仮連結部６６により切断可能に連結され、更に、ソケット部２０と挿通頭部３０とが第５仮連結部６７により切断可能に連結されている。
【００３５】
そして、以上の構成の折り返し型封緘具１によれば、第１フィラメント部４１と第２フィラメント部４２の延伸のスタート部分である根本部４１ａ，４２ａが内側に偏心しているため、第１フィラメント部４１と第２フィラメント部４２とが延伸されて正規の長さになった時に、第１及び第２フィラメント部４１，４２を閉じる方向の力やモーメントが作用するようになり、第１及び第２フィラメント部４１，４２はＸ字形状やＵ字形状の状態を維持する。つまり、第１フィラメント部４１と第２フィラメント部４２は、中間部が開かず、Ｏ字状態にはならない。　次の本発明の折り返し型封緘具１の使用方法の例を説明する。
【００３６】
店頭に陳列する衣料品等に対して、値段や品質等を表示するための表示札を取り付ける場合には、図６に示すように、挿通頭部３０を、表示札２等の取付け孔２ｈと衣類等の生地３等に形成されたボタン孔等の取付孔３ｈを通した後に、ソケット部２０に挿入する。
【００３７】
この挿通頭部３０をソケット部２０に挿入すると、図７に示すように、この挿通頭部３０の頭部３１と係合片３２が環状突起部２３を通過した後に後方の係合片３２が貫通孔２２内に拡がると共に、ストッパー部３５が貫通孔２２内で環状突起部２３に当接するため、この環状突起部２３を係合片３２とストッパー部３５で挟み込んで係合する。この係合により、ループＲが形成され、このループＲにより、表示札２を商品の生地３に取り付けることができる。
【００３８】
そして、本発明の折り返し型封緘具１を使用すると、Ｘ字形状やＵ字形状の状態を常時維持しているので、移動や保管時において、封緘具同士のもつれや絡み合いが無くなり、作業効率を著しく向上することができる。
【００３９】
そして、消費者がこれらの商品を購入した際には、この折り返し型封緘具１の切断部２４を手操作で捩じるか折り曲げるか又は引き裂くかして、鋏やカッター等の切断具を使用することなく、切断部２４を切断又は破断してループＲを解除できるので、簡単に折り返し型封緘具１や表示札２等を除去することができる。
【００４０】
また、同様にして、本発明の折り返し型封緘具１は、商品や部品を収納した包装用容器等や、コンテナ、倉庫、金庫、輸送車の扉等に対して封緘する場合にも使用でき、封緘対象物である扉の引手部分に挿通頭部３０を通して一周させた後に、挿通頭部３０をソケット部２０に挿入して係合させてループＲを作り、このループＲにより封緘する。この封緘に際しては、必要に応じて、表示札２と共に封緘することができる。
【００４１】
【発明の効果】
以上の説明から明らかなように、本発明による折り返し型封緘具によれば、延伸のスタート部分である第１及び第２フィラメント部の根本部が内側に偏心して結合部の第１及び第２支持部に設けられているため、第１及び第２フィラメント部を延伸した時に、第１フィラメント部と第２フィラメント部を閉じる方向の力やモーメントが作用するようになり、第１フィラメント部と第２フィラメント部は、Ｏ字形状に開かず、Ｘ字形状やＵ字形状を維持するようになる。
【００４２】
従って、個々にばらされた状態の封緘具や集合体としての封緘具を移動や保管する際において、第１フィラメント部と第２フィラメント部の中間部がＯ字形状に開かず、Ｘ字形状やＵ字形状を維持できるので、この第１及び第２フィラメント部の間に他の封緘具の係合雄部や係合雌部が入り込むことによって生じるフィラメント部同士のもつれや絡み合いを防止でき、取付作業時の作業効率を向上できる。
【図面の簡単な説明】
【図１】本発明に係る折り返し型封緘具の例を示す図で、（ａ）は平面図で、（ｂ）は拡大図で、（ｃ）はソケット部の断面図である。
【図２】図１の折り返し型封緘具の延伸前の状態を示す図で、（ａ）は平面図で、（ｂ）はＸ−Ｘ’矢視図である。
【図３】図１の折り返し型封緘具の第１及び第２フィラメント部の根本部と結合部の第１及び第２支持部との位置関係を示す図で、（ａ）は平面図で、（ｂ）はＹ−Ｙ’矢視図である。
【図４】本発明に係る他の折り返し型封緘具の第１及び第２フィラメント部の根本部と結合部の第１及び第２支持部との位置関係を示す図で、（ａ）は平面図で、（ｂ）はＺ−Ｚ’矢視図である。
【図５】図１の折り返し型封緘具の集合体の例を示す図である。
【図６】本発明に係る折り返し型封緘具の使用例を示す図である。
【図７】本発明に係る折り返し型封緘具の係合状態を示す部分断面図である。
【図８】従来技術の折り返し型封緘具の例を示す図で、（ａ）は平面図で、（ｂ）はＶ部拡大図で、（ｃ）はＷ−Ｗ’矢視図である。
【符号の説明】
１
２０　ソケット部（係合雌部）
２２　貫通孔
２３　環状突起部
３０　挿通頭部（係合雄部）
３１　頭部
３２　係止片
３３　ストッパー部
４１　第１フィラメント部
４１ａ　根本部
４２　第２フィラメント部
４２ａ　根本部
５０　結合部
５１　第１支持部
５２　第２支持部
６１　第１バー
６２　第２バー
【図１】
2004051145.tif 000003
【図２】
2004051145.tif 000004
【図３】
2004051145.tif 000005
【図４】
2004051145.tif 000006
【図５】
2004051145.tif 000007
【図６】
2004051145.tif 000008
【図７】
2004051145.tif 000009
【図８】
2004051145.tif 000010